(57)【特許請求の範囲】
【請求項１】
臼歯に装着される咬合用の装置であって、実質的に上顎第二乳臼歯部及び／又はそれに対咬する部位に相当する部位のみにおいて対咬接触を生じさせる対咬接触部を、前記臼歯おのおのに装着可能な装着手段に備え、
前記対咬接触部は、装着手段の咬合面側に形成され、
前記対咬接触部の咬合面部は、略平面状を有し、
前記装着手段は、
断面凹状体で、舌側の側面部を頬側の側面部より低く形成され、且つ、
体温を超える温度に加熱することにより軟化して押し当てた状態を維持し、体温近傍では固化する固定用組成物が供給された凹状部を有する、咬合補助装置。
【請求項２】
前記対咬接触部は、前記上顎第二乳臼歯部及び／又はそれに対咬する部位に相当する部位以外での咬合を抑制できる程度に対咬する咬合面側に突出されている、請求項１に記載の咬合補助装置。
【請求項３】
前記対咬接触部は、咬合により弾性変形しない程度の硬度を備えている、請求項１又は２に記載の咬合補助装置。
【請求項４】
対咬接触部は、噛み締め時および／または咀嚼時において、他の臼歯部において対咬接触しないかあるいは対咬接触しても、上顎第二乳臼歯部及び／又はそれに対咬する部位に相当する相当部位における対咬接触による咬合を阻害しない程度の接触である、請求項１ないし３のいずれかに記載の咬合補助装置。
【請求項５】
前記対咬接触部は、前記装着手段の咬合面部側に固定されるプレート状体である、請求項４に記載の咬合補助装置。
【請求項６】
前記装着手段は、少なくとも３個の臼歯にわたる、請求項４又は５に記載の咬合補助装置。
【発明の詳細な説明】
【０００１】
【発明の属する技術分野】
本発明は、咬合を補助する装置に関し、特に、咬合機能を復元あるいは改善して、個人が本来有する咬合機能を発揮させることのできる咬合補助装置に関する。
【０００２】
【従来の技術】
近年、咬合の異常と全身的な症状（頭痛、肩こり、背中の痛み等）との因果関係が研究されてきている。例えば、総義歯の調整や口腔内にスプリントを装着することにより患者の咬合状態を矯正することによって、種々の全身症状が改善されたことがこれまでにも報告されている（例えば、中村昭二「咬合関連症の発症因子およびその診断と治療」：P.J.A.Occlusion.Health.Vol.1(1995)）。このような咬合関連症は、若年層から老年層にわたり、天然歯を保有するか義歯を装着しているかにかかわらず発症している。また、その治療は歯科医師による咬合調整や矯正を主体としている。
【０００３】
【発明が解決しようとする課題】
しかしながら、咬合関連症の治療は、治療そのものが技術的に困難な場合があるために、長期間にわたって患うケースも多い。咬合の不具合は、咀嚼のみならず、各種の全身症状を呈するために、個人生活の質の観点からは大きな障害を生じる可能性もある。そこで、本発明は、咬合状態を簡易に修正して、好ましい咬合機能を発現させることができる咬合補助装置を提供することをその目的とする。
【０００４】
【問題を解決するための手段】
本発明者は、咬合運動に関連する筋肉群及び顎構造に着目して研究したところ、本来の咬合機能は、上顎第二乳臼歯部相当部位における対咬接触によって達成されることを見出した。すなわち、上顎第二乳臼歯部相当部位において確実に上下臼歯を対咬接触させることで、咬合バランスひいては全身のバランスが維持されるであろうことを見出した。そして、これらの知見によれば、上記した課題を解決できることを見出し、本発明を完成した。すなわち、本発明によれば、以下の手段が提供される。
（１）臼歯に装着される咬合用の装置であって、実質的に上顎第二乳臼歯部及び／又はそれに対咬する部位に相当する部位のみにおいて対咬接触を生じさせる対咬接触部を、前記臼歯おのおのに装着可能な装着手段に備え、
前記対咬接触部は、装着手段の咬合面側に形成され、
前記対咬接触部の咬合面部は、略平面状を有し、
前記装着手段は、
断面凹状体で、舌側の側面部を頬側の側面部より低く形成され、且つ、
体温を超える温度に加熱することにより軟化して押し当てた状態を維持し、体温近傍では固化する固定用組成物が供給された凹状部を有する、咬合補助装置。
（２）前記対咬接触部は、前記上顎第二乳臼歯部及び／又はそれに対咬する部位に相当する部位以外での咬合を抑制できる程度に対咬する咬合面側に突出されている、請求項１に記載の咬合補助装置。
（３）前記対咬接触部は、咬合により弾性変形しない程度の硬度を備えている、請求項１又は２に記載の咬合補助装置。
（４）対咬接触部は、噛み締め時および／または咀嚼時において、他の臼歯部において対咬接触しないかあるいは対咬接触しても、上顎第二乳臼歯部及び／又はそれに対咬する部位に相当する相当部位における対咬接触による咬合を阻害しない程度の接触である、請求項１ないし３のいずれかに記載の咬合補助装置。
（５）前記対咬接触部は、前記装着手段の咬合面部側に固定されるプレート状体である、請求項４に記載の咬合補助装置。
（６）前記装着手段は、少なくとも３個の臼歯にわたる、請求項４又は５に記載の咬合補助装置。
【０００５】
これらの咬合補助装置によると、上顎第二乳臼歯相当部位において対咬接触を生じさせることができる。すなわち、上顎第二乳臼歯相当部位において対咬接触が得られていないあるいは不完全である患者において当該部位において対咬接触を生じさせることができる。このため、装着者において本来する咬合機能を復元させることができる。この結果、各種の咬合関連症状を軽減することができる。なお、本装置によれば、このような対咬接触によって、咬合に関連する筋肉群や関節を正しく機能させるようにトレーニングすることができる。
【０００６】
【発明の実施の形態】
以下、本発明の実施の形態について詳細に説明する。本発明の咬合補助装置は、乳歯保有者、永久歯保有者の他、義歯装着者などに対して適用することができる。また、本装置は、咬合関連症患者、咬合関連症の高リスク者、義歯や人工歯を装着後の咬合調整中の患者、虫歯など口腔内を治療中の患者などに適用することができる。そして、上記した作用に基づいて、これらの患者の咬合を改善あるいは補助して、好ましい咀嚼状態を形成し、咬合関連症状を軽減し、治療し、あるいは予防することができる。さらに、これらのいずれの患者においても、咬合関連筋肉群や関節をトレーニングすることができる。したがって、本装置は、上顎第二乳臼歯相当部位で対咬接触させるための咬合補助装置の他、咀嚼改良装置として、さらには、咬合関連症状の治療装置、予防装置として使用することができる。また、咬合あるいは咀嚼機能のトレーニング装置としても使用することができる。
【０００７】
次に、本発明の装置の実施形態について説明する。図１には、本咬合補助装置の概念的な一形態を例示しており、上顎第二乳臼歯部相当部位である上顎第二小臼歯（より具体的には第二小臼歯近心）〜第一大臼歯の近心舌側咬頭頂部に対咬接触部を備える装置形態が示されている。なお、図１に示す装置形態、対咬接触部の形態、装着手段１０の形態は本発明を限定するものではない。また、本装置を例示するいずれの図１〜１１においても、上顎臼歯部に装着する形態となっている。上顎臼歯部に装着すると、上顎第二乳臼歯相当部位における対咬接触を簡易に確保できるからである。また、咬合に関連する筋肉群や関節による咬合圧を分散させることなく、上方に伝えることができるからである。このように、本発明の装置は上顎側に装着することも好ましいが、これに限定する趣旨ではなく、上顎側に適用できる形態を同様に下顎側に装着する形態を採用することもできる。下顎臼歯部に装着すると、装着が容易、あるいは安定して装着される場合もある。したがって、以下の説明において、上顎臼歯部に装着する形態で記載されている本装置は、いずれも下顎臼歯部に装着する形態として採用することができる。
【０００８】
本咬合補助装置２は、上顎第二乳臼歯相当部位における対咬接触を生じさせる対咬接触部４を有している。対咬接触部４は、咬合補助装置２の装着時に、選択的にあるいは積極的に、上顎第二乳臼歯相当部位における対咬接触を生じさせるように構成することができる。好ましくは、実質的に当該相当部位においてのみ、臼歯部の対咬接触を生じさせるように構成する。なお、対咬接触部４は、当該相当部位で対咬接触を生じさせることができれば足りるので、必ずしも、当該部位の全体に対応する大きさを要するものではなく、その対咬接触が得られる大きさであれば足りる。ただし、当該部位全体にほぼ対応する大きさを有するようにすれば、装着時の位置調整が簡単にでき、容易に対咬接触が得られる。また、当該相当部位の範囲を超えて上顎の臼歯部全体までの範囲で形成することができる。この場合には、上記に加えて、他の臼歯による対咬接触を確実に回避し、しかも安定した咬合状態を得ることができる。
【０００９】
また、対咬接触部４は、主として解剖学的咬合面（咬頭および辺縁に囲まれて対合歯に面する部分）として機能するように構成することができる。すなわち、対咬接触部４が配置された側と反対側（下顎あるいは上顎）の臼歯の咬頭（頂）および／または辺縁部を受容できる面状部として構成することができる。ここで、上顎第二乳臼歯部相当部位とは、現在あるいは過去において上顎第二乳臼歯が存在している（あるいはしていた）部位を意味している。すなわち、乳歯保有者においては、現存する上顎第二乳臼歯部であり、永久歯保有者にあっては、多くの場合、上顎第二小臼歯（より具体的には第二小臼歯近心）〜第一大臼歯の近心舌側咬頭頂部であり、義歯装着者にあっては、多くの場合、義歯の上顎第二小臼歯（より具体的には第二小臼歯近心）〜第一大臼歯の近心舌側咬頭頂部である。
【００１０】
実質的に上顎第二乳臼歯相当部位においてのみ対咬接触するとは、他の臼歯部において対咬接触しないか、あるいは対咬接触したとしても、当該相当部位における対咬接触による咬合（特に噛み締め時および／または咀嚼時）を阻害しない程度の接触であることを意味している。本咬合補助装置２によって好ましい対咬接触状態を形成するには、対咬接触部４が、上顎第二乳臼歯相当部位以外の咬合（特に噛み締め時および／または咀嚼時）を抑制できる程度に対咬する咬合面側に突出されていることが好ましい。
【００１１】
このように人工的に対咬接触を創出する対咬接触部４は、上記対咬接触状態を発現できる範囲で各種態様を採ることができる。対咬接触部４の咬合面部（対咬する面部位）の形状としては、例えば、平面状の他、緩やかな凸曲面状、半球状、断面半円状、あるいは平面状の頂部を有する凸状などの凸状面とすることができる。確実かつ容易に対咬接触を得るには、全体が平面状かあるいは少なくとも中央部が平面状であることが好ましい。なお、対咬する咬頭が当接する部位は平面状あるいは緩やかな曲面の凹面状であることが好ましい。また、対咬する咬頭（頂）などがひっかかったりしない程度に凹凸がなく、対咬する咬頭（頂）との対咬接触や咀嚼（前方運動及び側方運動など）を阻害しない程度の滑面となっていることが好ましい。
【００１２】
また、対咬接触部４は、装着手段１０との関係で各種態様を採ることができる。すなわち、（１）対咬接触部が臼歯への装着手段の一部に予め固定される形態（図２〜図６および図７に例示する形態）、（２）対咬接触部が装着手段に固定されることが予定されている形態（使用時に装着手段に対して対咬接触部を固定可能とするようなセット形態を意味する）（図８に例示する形態）、（３）装着手段の一部が対咬接触部として機能するように、その装着手段の表層部および／またはその内部が構成されている形態（図９に例示の形態）などを採ることができる。
【００１３】
対咬接触部４が、前記（１）あるいは（２）の形態を採る場合、対咬接触部４の装着側は、臼歯への装着が阻害されない範囲で各種態様を採ることができる。たとえば、平面状でもよいし、装着手段１０などの咬合面部に嵌めこみ可能な凸状を有していてもよい。以上のことから、前記（１）あるいは（２）の形態の対咬接触部４は、全体にわたっておおよそ等しい方形断面を有するプレート状体か、あるいは対咬側に凹状部（好ましくは平面部を有する）を備える当該プレート状体とすることが好ましい。
【００１４】
対咬接触部４が前記（３）の形態を採る場合、上記した対咬接触部４の対咬側形態を装着手段１０の対咬接触機能部位（表面）に備えることが好ましい。
【００１５】
また、対咬接触部４は、咬合によって弾性変形しない程度の硬度を有していることが好ましい。咬合により弾性変形すると、対咬接触状態が経時的に変化して、十分に機能しなくなる可能性があるからである。また、弾性変形によって咬合圧が十分に上顎側に伝達されないおそれも生じるからである。
【００１６】
対咬接触部４の好ましい硬度は、例えば、ビッカーズ硬度が１５以上６０以下であることができる。当該範囲の硬度を備えると、装着者の咀嚼運動やその他の咬合に関連する生活習慣に対応して良好な咬合状態が得られるように、咬合面側が磨耗される。このため、装着者個別に良好な咬合状態が得られ易くなっている。１５未満であると、好ましい咬合が得られにくく、６０を超えると、磨耗されにくくなり、使用によって好ましい装着感（咬合感覚）が得られにくくなる。ビッカーズ硬度は、ＪＩＳ Ｚ２２４４に従って測定することができる。なお、試験条件は、荷重１ｋｇあたり、１５秒間とする。より好ましい上限は３０であり、さらに好ましくは、２５である。また、より好ましい下限は２０である。
【００１７】
また、対咬接触部４は、ＪＩＳ Ｋ７２０４による耐磨耗試験において、１０ｍｇ以下の磨耗減量であることが好ましい。この範囲の磨耗量であると、人工歯装着者の装着時における咀嚼運動等により、適度に咬合面が磨耗される。１０ｍｇを超えると削合しやすくかつ磨耗しやすいが、磨耗が激しすぎて適正な咬合が得られにくい。より好ましくは、５ｍｇ以下である。なお、上記耐磨耗試験の測定条件は、回転数３００回転、回転速度６０ｒｐｍ、温度２３℃、磨耗輪ＣＳ１７とする。
【００１８】
なお、対咬接触部４が上記硬度および／または耐磨耗性を備えることにより、歯科医師あるいは歯科技工士による歯科用器具によって研磨などの加工が容易となる。このため、本装置の装着時の歯科医師あるいは歯科技工士による咬合調整が簡易化される。
【００１９】
このような耐磨耗性及び／又は硬度を備える対咬接触部４の材料としては、特に限定しないが、好ましくは、ポリアルキル（メタ）アクリレート等の（メタ）アクリル系樹脂を主体とする。アルキル基は、炭素数１〜４であることが好ましい。炭素数の異なる（メタ）アクリレートモノマーの共重合体も好ましく使用できる。また、好ましくは、ポリメチル（メタ）アクリレートを主体とする。また、構成材料は、架橋剤等の添加により架橋を施して、架橋度を調節することができる。さらに、各種無機フィラー等の各種充てん材を添加して耐磨耗性及び／又は硬度を調節することもできる。特に充てん材としては、シリカ等を用いることが好ましい。なお、かかる材料によれば、汚れの耐付着性も向上し、変色及びプラークの付着が抑制される。
【００２０】
このような対咬接触部４は、上顎第二乳臼歯相当部位あるいはそれに対咬する部位などの上顎および／または下顎の臼歯部に装着可能に本咬合補助装置２に備えられている。対咬接触部４を臼歯部に装着可能にするには、各種装着手段１０を採用することができる。例えば、歯科の分野で採用されている、ブリッジ、マウスピース、ブランケットなどを採用することができる。装着や脱着操作の容易性などの観点からマウスピースあるいはマウスピースに準じた形態（本明細書において、マウスピース状体という。）とすることが好ましい。なお、本明細書において、装着手段１０とは、臼歯を覆い装着可能な断面凹状体を意味しており、歯科分野における一般的なマウスピースの他、その材料や外形形態、装着形態などにおいて、歯科分野で一般的ではない材料や形態などに変形されたものを含んでいる。
【００２１】
装着手段１０の形態は特に限定しないで各種形態を採用することができる。安定した対咬接触を得るためには、好ましくは、少なくとも上顎第二乳臼歯相当部位あるいはそれに対応する下顎部位をカバーする形態である。好ましくは、少なくとも２個あるいは３個の臼歯にまたがってカバーするような形態である。さらに、好ましくは、４個の臼歯にまたがってカバーするような形態である。具体的には、乳歯保有者においては、第一乳臼歯及び第二乳臼歯をカバーし、永久歯保有者においては、第一小臼歯、第二小臼歯、第一大臼歯、及び第二大臼歯をカバーする形態である。なお、装着手段１０の舌側の側面部を頬側の側面部より低くしておくことが好ましい。
【００２２】
なお、装着手段１０の材料は特に限定しないが、装着性の観点からは、シリコン樹脂などの弾性を有する樹脂を採用することができる。また、咬合の安定性からは、高剛性材料を使用することが好ましく、例えば、熱硬化性樹脂や熱可塑性樹脂あるいはレジン、さらには金属やセラミックスなど使用することができる。また、装着者が自分自身で装着作業を行う場合には、装着性を重視して、軟性あるいは弾性樹脂材料を採用することが好ましく、歯科医師用としては、高剛性の材料を採用することが好ましい。なお、装着手段１０は、凹状部に適当な歯科用で用いられる固定用組成物などを使用して固定することができる。したがって、このような組成物を予め装着手段１０の凹状部に充てんしておくこともできる。固定のための形態は、装着手段１０の形態や材質に応じて適宜選択できる。
【００２３】
図２〜図９に、本咬合補助装置２の各種態様を例示する。図２〜６には、装着手段１０であるマウスピースに対咬接触部４を予め固定した装置形態を示している。なお、図４は、上顎臼歯部を咬合面側から見た図であり、図５は、上顎臼歯部を頬側から見た図であり、図６は、上顎臼歯部を舌側から見た図である。この咬合補助装置２は、図３に示すように、装着手段１０の頬側（図中左側）が高く、舌側（図中右側）が低く形成されている。さらに、図４〜６に示すように、上顎第二小臼歯〜第二大臼歯にわたって装着手段１０が装着されている。すなわち、３個の臼歯あるいは４個の臼歯にわたって装着手段１０が装着されており、安定して対咬接触部４を保持して、安定した咬合状態を実現、維持可能となっている。
【００２４】
図７に示す装置形態は、図２の咬合補助装置２の変形例であって、装着手段１０が、おおよそ上顎第二乳臼歯相当部位にのみ対応している点以外は、図２に示す装置と同様である。この形態によれば、咬合補助装置２をコンパクト化できる。このため、口腔内における違和感を低減することができるというメリットがある。また、脱着も容易である。図８には、対咬接触部４を装着手段１０と別体で供給するセット形態を示している。この形態では、歯科医師や技工士、さらには使用者本人が接着剤などにより対咬接触部を固定可能である。なお、付属する対咬接触部４は、必要に応じて固定可能あるいは取り替え可能に供給してもよい。例えば、対咬接触部４の磨耗によって取替え可能、あるいは装着者の好みや咬合状態の改善により厚みや硬さの異なる対向接触部４に取り替え可能とすることができる。
【００２５】
なお、図２〜図８に示す形態においては、対咬接触部４は、装着手段１０の咬合面部（対咬する面部位）側の表面に固定されるものとなっているが、これに限定されず、例えば、装着手段１０の下顎対咬部に対咬接触部４を挿入可能な凹部を形成し、この凹部に対咬接触部４を挿入して固定してもよい（変形例ａ）。この形態では、対咬接触部４を安定して固定できるというメリットがある。また、対咬接触部４は、装着手段１０の咬合面部側の外側に装着される形態に限定されない。すなわち、装着手段１０の咬合面部側を形成する部位のいずれかに固定されていればよい。例えば、対応する箇所の装着手段１０の内側、すなわち、凹状部内に対咬接触部４を固定してもよいし（変形例ｂ）、装着手段１０の咬合面部側において、その厚みの範囲内に、対咬接触部４を挿入あるいは嵌め込みできるスリットあるいは凹部を形成して、その部位に対咬接触部４を挿入などして固定してもよい（変形例ｃ）。変形例ｂ及びｃでも、対咬接触部４を簡易に保持できるというメリットがある。いずれの変形例ａ〜ｃにおいても、対咬接触部４が脱着可能であることが好ましい。これらの各種態様（変形例ａ〜ｃ）は、図９に例示する、装着手段１０の下顎咬合面側が対咬接触部４として機能可能な形態ということもできる。
【００２６】
図９には、装着手段１０の下顎咬合面側が対咬接触部４として機能可能な形態を示している。すなわち、装着手段１０としての下顎咬合面側が対咬接触部４を構成している。なお、装着手段１０の下顎咬合面側を対咬接触部４として機能可能に所定の硬度などを有するように形成するには、当該部位に硬度の高い樹脂を使用する、あるいは装着手段１０の内部あるいは装着手段１０の内側（凹状部内）に硬度の高い部位を備えるなどの手法を採用することができる。なお、装着手段１０の下顎咬合面側を対咬接触部として機能させる場合には、上記した対咬接触部に好ましい硬度や材料をその表層に用いることが好ましい形態である。
【００２７】
なお、図２〜図９に示す形態は、いずれも上顎臼歯に装着するものであったが、これを下顎臼歯に装着する形態に容易に変換することができる。すなわち、これらの咬合補助装置２の装着手段１０の形態を、対合する下顎臼歯部に適合した形態に置換すればよい。
【００２８】
このような本装置は、従来公知の歯科用領域における製造技術や一般的な樹脂や他の材料の成形技術などによって製造することができる。すなわち、装着手段は、歯科用器具、特に、先に例示した歯科領域の装着手段の製造技術を採用することにより容易に製造することができる。また、対咬接触部は、従来公知の樹脂などの成形技術によって製造することができる。また、これらの接着も歯科領域その他の接着技術を用いることにより容易に実現することができる。また、装着手段１０の一部に対咬接触部を備える場合も、マウスピースの成形技術を利用して製造することができる。
【００２９】
次に、本装置を、使用者の上顎に装着する方法について説明する。図１０および図１１には、装着手段１０を備え、この装着手段１０に対咬接触部４が予め固定されている咬合補助装置２の装着例を示す。この例の装着手段１０は、レジンにより形成されており剛性が高い装着手段１０となっている。図１０に示すように、かかる高剛性の装着手段１０は、装着手段１０の凹部に、固定用のワックスなどの固定用組成物２０を供給することができる。このような組成物は、通常は、体温を超える温度に加熱することにより軟化して接着性を発揮し、体温近傍では固化するように配合されている。なお、この固定用組成物２０は、予め、装着手段１０の凹部に供給しておいてもよいし、装着時に、供給するように別に準備されていてもよい。
【００３０】
次いで、凹部に適量の固定用組成物２０を保持した装着手段１０を上顎の歯列の所定部位に装着する。強く上顎側に装着手段１０を押し当てた状態を維持して所定時間が経過すると固定用組成物２０が冷却固化して装着手段１０が装着固定される。なお、咬合補助装置２の装着前には、対咬接触部４が、上顎第二乳臼歯相当部位に位置するように装着部位を決定しておくことが好ましい。装着時及び固定用組成物２０の固化までの過程においても、咬合補助装置２の位置調整も可能である。
【００３１】
図１０及び１１に示す例では、固定用組成物を用いたが、装着手段１０は、装着手段１０自体の形態と材質によって固定装着することもできる。また、他の装着手段１０を採用する場合には、採用する手段の種類に応じた装着方法を採用することができる。さらに、対咬接触部４を装着手段１０と別個に準備されている場合には、装着前にこれらを一体化してもよいし、また、装着手段１０を歯列に装着後、対咬接触部４を固定してもよい。これらの作業及び順序は、装着手段１０と対咬接触部４に応じていずれも適宜選択することができる。なお、下顎臼歯に装着する形態の咬合補助装置２の場合には、図１０及び図１１に記載の手順を下顎臼歯に対して行えば足り、他の形態の咬合補助装置２においても同様に適用すれば足りる。
【００３２】
【発明の効果】
本発明によれば、上顎第二乳臼歯相当部位における対咬接触を確保して、装着者において好ましい咬合機能を発現させることができる。
【図面の簡単な説明】
【図１】本発明の装置の概略を示す図である。
【図２】本発明の装置の一実施形態を示す図である。
【図３】図２に示す装置の断面を示す図である。
【図４】図２に示す装置を上顎臼歯部に装着した状態を咬合面側から見た図である。
【図５】図２に示す装置を上顎臼歯部に装着した状態を頬側から見た図である。
【図６】図２に示す装置を上顎臼歯部に装着した状態を舌側から見た図である。
【図７】本発明の装置の他の実施形態を示す図である。
【図８】本発明の装置のさらに他の実施形態を示す図である。
【図９】本発明の装置のさらに他の実施形態を示す図である。である。
【図１０】本発明の装置の装着前の状態を示す図である。
【図１１】本発明の装置の装着後の状態を示す図である。
【符号の説明】
２  咬合補助装置
４  対咬接触部
１０  装着手段
２０  固定用組成物
【図１】
0003940601.tif 000002
【図２】
0003940601.tif 000003
【図３】
0003940601.tif 000004
【図４】
0003940601.tif 000005
【図５】
0003940601.tif 000006
【図６】
0003940601.tif 000007
【図７】
0003940601.tif 000008
【図８】
0003940601.tif 000009
【図９】
0003940601.tif 000010
【図１０】
0003940601.tif 000011
【図１１】
0003940601.tif 000012